(57)【要約】【課題】迅速な検索が可能なスクロールホイール装置を備えた移動端末機、およびこれを用いた機能実行方法を提供する。【解決手段】本発明に係るスクロールホイール装置を備えた移動端末機は、表示部と、ユーザの回転動作を認識するスクロールホイール装置と、それぞれの回転距離の区間に互いに異なるメニューをマッチングさせたデータを保存するメモリと、前記スクロールホイール装置から入力された回転動作に相応する回転距離を算出し、前記算出された回転距離が属する回転距離の区間に相応するメニューを前記メモリで検索し、その検索されたメニューによるユーザインタフェースの画面を前記表示部にディスプレイするための第１制御信号を出力する制御部とを含むことを特徴とする。【選択図】図７
2006323820.tif 000002
【特許請求の範囲】
【請求項１】
表示部と、
ユーザの回転動作を認識するスクロールホイール装置と、
それぞれの回転距離の区間に互いに異なるメニューをマッチングさせたデータを保存するメモリと、
前記スクロールホイール装置から入力された回転動作に相応する回転距離を算出し、前記算出された回転距離が属する回転距離の区間に相応するメニューを前記メモリで検索し、その検索されたメニューによるユーザインタフェースの画面を前記表示部にディスプレイするための第１制御信号を出力する制御部と、
を含むスクロールホイール装置を備えた移動端末機。
【請求項２】
前記回転距離は、
前記スクロールホイール装置が認識した最初の接触点から最後の接触点までの距離として、前記回転動作の方向を考慮して算出されることを特徴とする請求項１に記載のスクロールホイール装置を備えた移動端末機。
【請求項３】
前記第１制御信号は、
前記回転距離が発火回転距離以上の最初の回転距離区間に属する場合、ユーザインタフェースの初期画面をディスプレイすることを特徴とする請求項１に記載のスクロールホイール装置を備えた移動端末機。
【請求項４】
前記スクロールホイール装置は、
熱感知センサを用いてユーザの接触動作を認識するタッチホイール装置であることを特徴とする請求項１または請求項２に記載のスクロールホイール装置を備えた移動端末機。
【請求項５】
前記制御部は、
ユーザの接触が前記タッチホイール装置から離隔される場合、前記検索されたメニューに相応する特定の機能を行うための第２制御信号を更に出力することを特徴とする請求項４に記載のスクロールホイール装置を備えた移動端末機。
【請求項６】
前記スクロールホイール装置は、
ユーザの動作によって回転自在なジョグダイアル装置であることを特徴とする請求項１または請求項２に記載のスクロールホイール装置を備えた移動端末機。
【請求項７】
ユーザから機能実行命令が入力されるために、それぞれ特定の機能が割り当てられた少なくとも一つ以上の機能キーを更に含み、
前記制御部は、
前記機能キーから入力された機能実行命令に相応する特定の機能を行うための第３制御信号をさらに出力することを特徴とする請求項１に記載のスクロールホイール装置を備えた移動端末機。
【請求項８】
前記機能キーは、
前記スクロールホイール装置と隔離して備えられることを特徴とする請求項７に記載のスクロールホイール装置を備えた移動端末機。
【請求項９】
前記機能キーは、
前記スクロールホール装置と重なった状態で備えられることを特徴とする請求項７に記載のスクロールホイール装置を備えた移動端末機。
【請求項１０】
表示部と、
熱感知センサを備えてユーザの接触および回転動作を認識するタッチホイール装置と、
それぞれの回転距離の区間に互いに異なるメニューをマッチングさせたデータを保存するメモリと、
前記タッチホイール装置から入力された回転動作に相応する回転距離を算出し、その算出された回転距離が属する回転距離の区間に相応するメニューを前記メモリで検索し、その検索されたメニューによるユーザインタフェースの画面を前記表示部にディスプレイするための第１制御信号と、
ユーザの接触が前記タッチホイール装置から離隔される場合、前記検索されたメニューに相応する特定の機能を行うための第２制御信号を出力する制御部と
を含むスクロールホイール装置を備えた移動端末機。
【請求項１１】
前記回転距離は、
前記スクロールホイール装置が認識した最初の接触点から最後の接触点までの距離で、前記回転動作の方向を考慮して算出されることを特徴とする請求項１０に記載のスクロールホイール装置を備えた移動端末機。
【請求項１２】
ユーザから機能実行命令が入力されるために、それぞれ特定の機能が割り当てられた少なくとも一つ以上の機能キーを更に含み、
前記制御部は、
前記機能キーから入力された機能実行命令に相応する特定の機能を行うための第３制御信号を更に出力することを特徴とする請求項１０に記載のスクロールホイール装置を備えた移動端末機。
【請求項１３】
前記機能キーは、
前記スクロールホール装置と隔離して備えられることを特徴とする請求項１２に記載のスクロールホイール装置を備えた移動端末機。
【請求項１４】
前記機能キーは、
前記スクロールホイール装置と重なった状態で備えられることを特徴とする請求項１２に記載のスクロールホイール装置を備えた移動端末機。
【請求項１５】
ユーザの回転動作を認識するスクロールホイール装置を備えた移動端末機を用いた機能実行方法において、
前記スクロールホイール装置から入力されたユーザの回転動作に相応する回転距離を算出する段階と、
前記算出された回転距離が属する回転距離の区間にマッチングされているメニューを検索する段階と、
前記検索されたメニューによるユーザインタフェースの画面を前記端末機が備えた表示部にディスプレイする段階と、
を備えるスクロールホイール装置を備えた移動端末機を用いた機能実行方法。
【請求項１６】
前記回転距離は、
前記スクロールホイール装置が認識した最初の接触点から最後の接触点までの距離で、前記回転動作の方向を考慮して算出されることを特徴とする請求項１５に記載のスクロールホイール装置を備えた移動端末機を用いた機能実行方法。
【請求項１７】
前記ディスプレイ段階は、
前記回転距離が発火回転距離以上の最初の回転距離区間に属する場合、ユーザインタフェースの初期画面をディスプレイすることを特徴とする請求項１５に記載のスクロールホイール装置を備えた移動端末機を用いた機能実行方法。
【請求項１８】
前記スクロールホイール装置は、
熱感知センサを用いてユーザの接触動作を認識するタッチホイール装置であることを特徴とする請求項１５又は請求項１６に記載のスクロールホイール装置を備えた移動端末機を用いた機能実行方法。
【請求項１９】
ユーザの接触が前記タッチホイール装置から離隔される場合、前記検索されたメニューに相応する特定の機能を行う段階をさらに備えることを特徴とする請求項１８に記載のスクロールホイール装置を備えた移動端末機を用いた機能実行方法。
【請求項２０】
前記スクロールホイール装置は、
ユーザの動作によって回転自在なジョグダイアル装置であることを特徴とする請求項１５又は請求項１６に記載のスクロールホイール装置を備えた移動端末機を用いた機能実行方法。
【請求項２１】
前記端末機に備えられた機能キーによって機能実行命令が入力される段階と、
前記入力された機能実行命令に相応する特定の機能を行う段階と、
を更に備えることを特徴とする請求項１５に記載のスクロールホイール装置を備えた移動端末機を用いた機能実行方法。
【請求項２２】
ユーザの接触および回転動作を認識するタッチホイール装置を備えた移動端末機を用いた機能実行方法において、
前記スクロールホイール装置から入力されたユーザの回転動作に相応する回転距離を算出する段階と、
前記算出された回転距離が属する回転距離の区間にマッチングされているメニューを検索する段階と、
前記検索されたメニューによるユーザインタフェースの画面を前記端末機が備えた表示部にディスプレイする段階と、
ユーザの接触が前記タッチホイール装置から離隔される場合、前記検索されたメニューに相応する特定の機能を行う段階と、
を備えるタッチホイール装置を備えた移動端末機を用いた機能実行方法。
【請求項２３】
前記回転距離は、
前記スクロールホイール装置が認識した最初の接触点から最後の接触点までの距離で、前記回転動作の方向を考慮して算出されることを特徴とする請求項２２に記載のタッチホイール装置を備えた移動端末機を用いた機能実行方法。
【請求項２４】
前記端末機に備えられた機能キーによって機能実行命令が入力される段階と、
前記入力された機能実行命令に相応する特定の機能を行う段階と、
を更に備えることを特徴とする請求項２２に記載のタッチホイール装置を備えた移動端末機を用いた機能実行方法。
【発明の詳細な説明】
【技術分野】
【０００１】
本発明は移動端末機に関するもので、特に、タッチホイール、或いはジョグダイアルなど、スクロールホイール装置を備えた移動端末機において、検索、特定の機能の実行を迅速で便利に行うことのできる、スクロールホイール装置を備えた移動端末機、およびこれを用いた機能実行方法に関する。
【背景技術】
【０００２】
携帯性の簡便な移動端末機として、移動通信、ゲーム、ＭＰ３、デジタルカメラ、デジタル放送受信など、一つ以上の機能を有する移動端末機が多量に補給されているのが実情である。
【０００３】
特に、最近、無線通信技術の飛躍的な発展と、これに伴う移動通信端末機の発展によって様々な多様な機能が移動通信端末機に集約されるにつれて、端末機ユーザがこのような多様な機能を効率的に管理して、便利に使用できるようにする機能が必要とされている。
【０００４】
特に、最近市販されている移動通信端末機の機能は、音声通話など、単純な情報伝達の機能ばかりでなく、ＭＭＳ(Multimedia  Messaging  System)データの送受信、デジタルカメラ、ＭＰ３プレイヤー、ＴＶ受信、ビデオクリップ再生など、多様なマルチメディアファイルを取り扱える機能にまで拡大されている。
【０００５】
移動通信端末機はこのような機能の拡大と共に、同時に大容量のミニＳＤやメモリスティックデュオ(Memory  Stick  Duo)のような外部のメモリカードまで収容できるようになり、端末機内で管理しなければならないファイルの数が増加し、これを検索可能な機能の性能向上が必要となっており、ＭＰ３やビデオクリップを再生する途中でもファイルを探索できる機能も必要とされている。
【０００６】
図１は従来技術に係る移動端末機の方向キーと機能キーの構成を示す図面である。
【０００７】
図１を参照して従来技術に係る移動端末機での機能実行方法を説明すると次のとおりである。
【０００８】
従来技術に係る移動端末機ではメニューの移動、住所録の検索、或いはＭＰ３やビデオチップなど、マルチメディアファイルを検索する時、移動する分だけ方向キー(Navigation  Key、１００)をクリックしてメニュー、或いは細部の項目間の移動が可能であった。前記方向キー１００を用いて所望のメニューや項目を探した後には、機能キー１１０を用いて特定の機能を実行した。
【発明の開示】
【発明が解決しようとする課題】
【０００９】
しかしながら、上述した従来技術は次のような問題点があった。
【００１０】
第一に、従来技術に係る方向キーは、メニュー或いは細部の項目間の移動時に所望するだけ前記方向キーをクリックしなければならないので、検索速度が遅い。
【００１１】
第二に、単純なクリック動作の反復のためにユーザにとって単調さを感じさせる。
【００１２】
第三に、マルチメディアファイルの再生時に所望の再生位置を探索する場合、前記方向キーを押し続けていなければならないので不便である。
第四に、特定の機能を行うためには別途に備えられた機能キーを必ずクリックしなければならず、不便である。
【００１３】
本発明は上記のような問題点を解決するために提案されたもので、迅速な検索が可能なスクロールホイール装置を備えた移動端末機、およびこれを用いた機能実行方法を提供することにその目的がある。
【００１４】
他の目的として、スクロールホイール装置およびユーザの動作と連動したユーザインタフェースを用いて端末機ユーザに便利性や楽しみを与えることのできる、スクロールホイール装置を備えた移動端末機、およびこれを用いた機能実行方法を提供することにある。
【００１５】
さらに他の目的として、多様なアプリケーションでスクロールが必要な場合、ユーザに便利性を与えることのできる、スクロールホイール装置を備えた移動端末機、およびこれを用いた機能実行方法を提供することにある。
【００１６】
さらに他の目的として、機能キーをクリックせずに特定の機能を行うことのできる、スクロールホイール装置を備えた移動端末機、およびこれを用いた機能実行方法を提供することにある。
【課題を解決するための手段】
【００１７】
上記目的を達成するための本発明の一形態として、本発明に係るスクロールホイール装置を備えた移動端末機は、表示部と、ユーザの回転動作を認識するスクロールホイール装置と、それぞれの回転距離の区間に互いに異なるメニューをマッチングさせたデータを保存するメモリと、前記スクロールホイール装置から入力された回転動作に相応する回転距離を算出し、前記算出された回転距離が属する回転距離の区間に相応するメニューを前記メモリで検索し、その検索されたメニューによるユーザインタフェースの画面を前記表示部にディスプレイするための第１制御信号を出力する制御部とを含むことを特徴とする。
【００１８】
前記回転距離は、前記スクロールホイール装置が認識した最初の接触点から最後の接触点までの距離として、前記回転動作の方向を考慮して算出されることが好ましい。
【００１９】
そして、前記第１制御信号は、前記回転距離が発火回転距離以上の最初の回転距離区間に属する場合、ユーザインタフェースの初期画面をディスプレイすることが好ましい。
【００２０】
そして、前記スクロールホイール装置は、熱感知センサを用いてユーザの接触動作を認識するタッチホイール装置であるか、ユーザの動作によって回転自在なジョグダイアル装置であることが好ましい。
【００２１】
前記スクロールホイール装置がタッチホイール装置である場合、前記制御部は、ユーザの接触が前記タッチホイール装置から離隔されると、前記検索されたメニューに相応する特定の機能を行うための第２制御信号を更に出力することができる。
【００２２】
上記目的を達成するための本発明の他の形態として、本発明に係るスクロールホイール装置を備えた移動端末機は、表示部と、熱感知センサを備えてユーザの接触および回転動作を認識するタッチホイール装置と、それぞれの回転距離の区間に互いに異なるメニューをマッチングさせたデータを保存するメモリと、前記タッチホイール装置から入力された回転動作に相応する回転距離を算出し、その算出された回転距離が属する回転距離の区間に相応するメニューを前記メモリで検索し、その検索されたメニューによるユーザインタフェースの画面を前記表示部にディスプレイするための第１制御信号と、ユーザの接触が前記タッチホイール装置から離隔される場合、前記検索されたメニューに相応する特定の機能を行うための第２制御信号を出力する制御部とを含むことを特徴とする。
【００２３】
ここで、前記スクロールホイール装置がタッチホイール装置である場合、ユーザの接触が前記タッチホイール装置から離隔されると、前記検索されたメニューに相応する特定の機能を行う段階を更に備えることができる。
【００２４】
上記目的を達成するための本発明のさらに他の形態として、本発明に係るスクロールホイール装置を備えた移動端末機を用いた機能実行方法は、ユーザの接触および回転動作を認識するタッチホイール装置を備えた移動端末機を用いて、前記タッチホイール装置から入力されたユーザの回転動作に相応する回転距離を算出する段階と、前記算出された回転距離が属する回転距離の区間にマッチングされているメニューを検索する段階と、前記検索されたメニューによるユーザインタフェースの画面を前記端末機が備えた表示部にディスプレイする段階と、ユーザの接触が前記タッチホイール装置から離隔される場合、前記検索されたメニューに相応する特定の機能を行う段階とを備えてなることを特徴とする。
【００２５】
上記目的を達成するために、本発明は、例えば、以下の手段を提供する。
（項目１）
表示部と、
ユーザの回転動作を認識するスクロールホイール装置と、
それぞれの回転距離の区間に互いに異なるメニューをマッチングさせたデータを保存するメモリと、
上記スクロールホイール装置から入力された回転動作に相応する回転距離を算出し、上記算出された回転距離が属する回転距離の区間に相応するメニューを上記メモリで検索し、その検索されたメニューによるユーザインタフェースの画面を上記表示部にディスプレイするための第１制御信号を出力する制御部と、
を含むスクロールホイール装置を備えた移動端末機。
（項目２）
上記回転距離は、
上記スクロールホイール装置が認識した最初の接触点から最後の接触点までの距離として、上記回転動作の方向を考慮して算出されることを特徴とする項目１に記載のスクロールホイール装置を備えた移動端末機。
（項目３）
上記第１制御信号は、
上記回転距離が発火回転距離以上の最初の回転距離区間に属する場合、ユーザインタフェースの初期画面をディスプレイすることを特徴とする項目１に記載のスクロールホイール装置を備えた移動端末機。
（項目４）
上記スクロールホイール装置は、
熱感知センサを用いてユーザの接触動作を認識するタッチホイール装置であることを特徴とする項目１または項目２に記載のスクロールホイール装置を備えた移動端末機。
（項目５）
上記制御部は、
ユーザの接触が上記タッチホイール装置から離隔される場合、上記検索されたメニューに相応する特定の機能を行うための第２制御信号を更に出力することを特徴とする項目４に記載のスクロールホイール装置を備えた移動端末機。
（項目６）
上記スクロールホイール装置は、
ユーザの動作によって回転自在なジョグダイアル装置であることを特徴とする項目１または項目２に記載のスクロールホイール装置を備えた移動端末機。
（項目７）
ユーザから機能実行命令が入力されるために、それぞれ特定の機能が割り当てられた少なくとも一つ以上の機能キーを更に含み、
上記制御部は、
上記機能キーから入力された機能実行命令に相応する特定の機能を行うための第３制御信号をさらに出力することを特徴とする項目１に記載のスクロールホイール装置を備えた移動端末機。
（項目８）
上記機能キーは、
上記スクロールホイール装置と隔離して備えられることを特徴とする項目７に記載のスクロールホイール装置を備えた移動端末機。
（項目９）
上記機能キーは、
上記スクロールホール装置と重なった状態で備えられることを特徴とする項目７に記載のスクロールホイール装置を備えた移動端末機。
（項目１０）
表示部と、
熱感知センサを備えてユーザの接触および回転動作を認識するタッチホイール装置と、
それぞれの回転距離の区間に互いに異なるメニューをマッチングさせたデータを保存するメモリと、
上記タッチホイール装置から入力された回転動作に相応する回転距離を算出し、その算出された回転距離が属する回転距離の区間に相応するメニューを上記メモリで検索し、その検索されたメニューによるユーザインタフェースの画面を上記表示部にディスプレイするための第１制御信号と、
ユーザの接触が上記タッチホイール装置から離隔される場合、上記検索されたメニューに相応する特定の機能を行うための第２制御信号を出力する制御部と
を含むスクロールホイール装置を備えた移動端末機。
（項目１１）
上記回転距離は、
上記スクロールホイール装置が認識した最初の接触点から最後の接触点までの距離で、上記回転動作の方向を考慮して算出されることを特徴とする項目１０に記載のスクロールホイール装置を備えた移動端末機。
（項目１２）
ユーザから機能実行命令が入力されるために、それぞれ特定の機能が割り当てられた少なくとも一つ以上の機能キーを更に含み、
上記制御部は、
上記機能キーから入力された機能実行命令に相応する特定の機能を行うための第３制御信号を更に出力することを特徴とする項目１０に記載のスクロールホイール装置を備えた移動端末機。
（項目１３）
上記機能キーは、
上記スクロールホール装置と隔離して備えられることを特徴とする項目１２に記載のスクロールホイール装置を備えた移動端末機。
（項目１４）
上記機能キーは、
上記スクロールホイール装置と重なった状態で備えられることを特徴とする項目１２に記載のスクロールホイール装置を備えた移動端末機。
（項目１５）
ユーザの回転動作を認識するスクロールホイール装置を備えた移動端末機を用いた機能実行方法において、
上記スクロールホイール装置から入力されたユーザの回転動作に相応する回転距離を算出する段階と、
上記算出された回転距離が属する回転距離の区間にマッチングされているメニューを検索する段階と、
上記検索されたメニューによるユーザインタフェースの画面を上記端末機が備えた表示部にディスプレイする段階と、
を備えるスクロールホイール装置を備えた移動端末機を用いた機能実行方法。
（項目１６）
上記回転距離は、
上記スクロールホイール装置が認識した最初の接触点から最後の接触点までの距離で、上記回転動作の方向を考慮して算出されることを特徴とする項目１５に記載のスクロールホイール装置を備えた移動端末機を用いた機能実行方法。
（項目１７）
上記ディスプレイ段階は、
上記回転距離が発火回転距離以上の最初の回転距離区間に属する場合、ユーザインタフェースの初期画面をディスプレイすることを特徴とする項目１５に記載のスクロールホイール装置を備えた移動端末機を用いた機能実行方法。
（項目１８）
上記スクロールホイール装置は、
熱感知センサを用いてユーザの接触動作を認識するタッチホイール装置であることを特徴とする項目１５又は項目１６に記載のスクロールホイール装置を備えた移動端末機を用いた機能実行方法。
（項目１９）
ユーザの接触が上記タッチホイール装置から離隔される場合、上記検索されたメニューに相応する特定の機能を行う段階をさらに備えることを特徴とする項目１８に記載のスクロールホイール装置を備えた移動端末機を用いた機能実行方法。
（項目２０）
上記スクロールホイール装置は、
ユーザの動作によって回転自在なジョグダイアル装置であることを特徴とする項目１５又は項目１６に記載のスクロールホイール装置を備えた移動端末機を用いた機能実行方法。
（項目２１）
上記端末機に備えられた機能キーによって機能実行命令が入力される段階と、
上記入力された機能実行命令に相応する特定の機能を行う段階と、
を更に備えることを特徴とする項目１５に記載のスクロールホイール装置を備えた移動端末機を用いた機能実行方法。
（項目２２）
ユーザの接触および回転動作を認識するタッチホイール装置を備えた移動端末機を用いた機能実行方法において、
上記スクロールホイール装置から入力されたユーザの回転動作に相応する回転距離を算出する段階と、
上記算出された回転距離が属する回転距離の区間にマッチングされているメニューを検索する段階と、
上記検索されたメニューによるユーザインタフェースの画面を上記端末機が備えた表示部にディスプレイする段階と、
ユーザの接触が上記タッチホイール装置から離隔される場合、上記検索されたメニューに相応する特定の機能を行う段階と、
を備えるタッチホイール装置を備えた移動端末機を用いた機能実行方法。
（項目２３）
上記回転距離は、
上記スクロールホイール装置が認識した最初の接触点から最後の接触点までの距離で、上記回転動作の方向を考慮して算出されることを特徴とする項目２２に記載のタッチホイール装置を備えた移動端末機を用いた機能実行方法。
（項目２４）
上記端末機に備えられた機能キーによって機能実行命令が入力される段階と、
上記入力された機能実行命令に相応する特定の機能を行う段階と、
を更に備えることを特徴とする項目２２に記載のタッチホイール装置を備えた移動端末機を用いた機能実行方法。
【発明の効果】
【００２６】
本発明に係るスクロールホイール装置を備えた移動端末機、およびこれを用いた機能実行方法の効果は次のとおりである。
【００２７】
第一に、本発明によれば、移動端末機でスクロールホイール装置を用いて迅速な検索機能を提供することができる。
【００２８】
第二に、スクロールホイール装置、ユーザの動作およびユーザインタフェースを連動することで、端末機ユーザに便利さや楽しみを提供することができる。
【００２９】
第三に、スクロールが必要な多様なアプリケーションでスクロールホイール装置を用いることで、便利なスクロール機能を提供することができる。
【００３０】
第四に、端末機の機能キーをクリックせずにもスクロールホイール装置のみを用いて特定の機能を行うことができる。
【発明を実施するための最良の形態】
【００３１】
以下、本発明に係る好適な実施例について、添付の図面に基づいて詳細に説明する。
【００３２】
図２は本発明の好ましい実施例によるスクロールホイール装置を備えた移動端末機のブロック構成図である。
【００３３】
図３の(ａ)ないし(ｆ）は本発明に係るユーザインタフェース画面の例示図である。
【００３４】
図４の(ａ）および（ｂ）は本発明によってスクロールホイール装置の外部に隔離して備えられた機能キーの例示図である。
【００３５】
図５は本発明によってスクロールホイール装置の内部に隔離して備えられた機能キーの例示図である。
【００３６】
図６は本発明によってスクロールホイール装置と重なった状態で備えられた機能キーの例示図である。
【００３７】
図２乃至図６を参照して、本発明の好適な実施例によるスクロールホイール装置を備えた移動端末機を詳細に説明すると次のとおりである。
【００３８】
本発明の好ましい実施例による移動端末機は、スクロールホイール装置２００、少なくとも一つ以上の機能キー２１０、制御部２２０、メモリ２３０、第１駆動部２４０、第２駆動部２５０、および表示部２６０を含んで構成されている。
【００３９】
前記スクロールホイール装置２００は、後術するタッチホイール装置、或いはジョグダイアル装置などを包括するもので、前記スクロールホイール装置を介して主にユーザの指を用いた回転動作が入力され、メニューやリストの検索、或いは特定の機能を行うための装置である。
【００４０】
前記スクロールホイール装置２００は、タッチホイール、或いはジョグダイアル装置であることが好ましい。
【００４１】
前記タッチホイール装置とは、熱感知センサを用いてユーザの指の動きなどの動作を認識できるスクロールホイール装置をいう。指を一定の距離続けて動かすことによって端末機の画面で多様なメニューと目録がスクロールされる。
【００４２】
前記ジョグダイアル装置とは、回転自在なダイアルを備えたスクロールホイール装置をいう。前記ダイアルを回転させることによって多様なメニューとリストを迅速かつ便利に検索することができる。
【００４３】
前記機能キー２１０は、ユーザから機能実行命令を入力されるためにそれぞれ特定の機能が割り当てられたキーである。本発明に係る移動端末機は少なくとも一つ以上の機能キーを備えることができる。
【００４４】
前記制御部２２０は、本発明に係る移動端末機の全般的な動作を総括する。
【００４５】
前記メモリ２３０は、後術するそれぞれの回転距離の区間に互いに異なるメニューをマッチングさせたデータを保存する。また、前記メモリ２３０は、それぞれの回転距離の区間に互いに異なるメニュー、およびこれに当るユーザインタフェースの画面に関する情報をマッチングさせたデータを保存することができる。
【００４６】
前記表示部２６０は、本発明に係る移動端末機の状態、或いは各種の情報をディスプレイするための装置である。
【００４７】
本発明に係る移動端末機は、移動通信網を介したデータ送受信のために移動通信用のモデムを備えることもでき、その他に特定の機能を実行するためのモジュールを含むことができる。
【００４８】
前記制御部２２０を中心に本発明に係るスクロールホイール装置を備えた移動端末機を説明する。
【００４９】
前記制御部２２０は、前記スクロールホイール装置２００から入力された回転動作に相応する回転距離を算出し、その算出された回転距離が属する回転距離の区間に相応するメニューを前記メモリ２３０で検索し、その検索されたメニューによるユーザインタフェースの画面を前記表示部２６０にディスプレイするための第１制御信号を出力する。
【００５０】
前記メニューは、前記端末機が提供する各種のアプリケーション、フォルダー、ファイルリスト、その他の各種の機能などを含む。
【００５１】
前記回転距離とは、前記スクロールホイール装置２００が認識したユーザの最初の接触点から最後の接触点までの距離として、前記回転動作の方向を考慮して算出されることが好ましい。
【００５２】
即ち、前記スクロールホイール装置２００は、前記回転距離の概念を用いてユーザの時計方向、或いは半時計方向の動作を全て認識することができる。例えば、時計方向に１/２回転距離だけ移動した後、半時計方向に１/４回転距離だけ移動すると、最終の回転距離は時計方向に１/４回転距離となる。
【００５３】
そして、前記回転距離区間とは、所定の回転距離の幅を有する区間をいう。例えば、０〜１/８回転距離は第１回転距離区間、１/８〜１/４回転距離は第２回転距離区間などに設定できる。前記回転距離および回転距離区間は、実測された距離で定義することもでき、前記スクロールホイール装置２００が大略円形であると仮定するとき、円周を複数の区間に分けて定義することもできる。
【００５４】
前記制御部２２０は、前記スクロールホイール装置２００を介してユーザの回転動作を入力される。即ち、前記スクロールホイール装置２００がタッチホイール装置である場合、ユーザは主に指を用いてタッチホイール装置の表面に指を接触させた状態で動かし、前記タッチホイール装置はユーザの指の動きを入力する。
【００５５】
また、前記スクロールホイール装置２００がジョグダイアル装置である場合、ユーザは主に指を用いてジョグダイアル装置のダイアルを回転させ、前記ジョグダイアル装置は前記ダイアルの回転によってユーザの動作を入力する。
【００５６】
前記制御部２２０は、前記回転動作に相応する回転距離が算出されると、前記メモリに保存されているデータを参照して、前記算出された回転距離が属する回転距離の区間に相応するメニューを検索する。また、前記制御部２２０は、前記メモリ２３０を参照して各メニューに当るユーザインタフェースの画面を検索することができる。
【００５７】
例えば、同一の階層のメニューとして“ＭＰ３”、“ＴＶ”、“ＣＡＭＥＲＡ”があると仮定するとき、１/４〜１/２回転距離は第１回転距離区間として“ＭＰ３”にマッチングされ、１/２〜３/４回転距離は、第２回転距離区間として“ＴＶ”にマッチングされ、３/４〜１回転距離は第３回転距離区間として“ＣＡＭＥＲＡ”にマッチングされるようにすることができる。
【００５８】
また、例えば、発火回転距離を前記端末機のスクロールホイールの機能を動作させるための最小の回転距離と定義し、前記発火回転距離に相応する回転距離を特定の回転距離区間にマッチングさせることができる。この際、前記スクロールホイール装置２００を介して発火回転距離に相応する回転距離が入力された場合、スクロールホイールの機能が始まったことを知らせるメニュー、およびこれに当るユーザインタフェースの画面を前記表示部２６０にディスプレイすることができる。即ち、ユーザが前記スクロールホイール装置２００に前記発火回転距離以下の回転を加えた場合には、前記端末機に何ら変化が起こらない。
【００５９】
したがって、前記第１制御信号は、前記回転距離が発火回転距離以上の最初の回転距離区間に属する場合、ユーザインタフェースの初期画面をディスプレイすることができる。
【００６０】
そして、前記第１制御信号は、前記回転距離が最初の回転距離区間ではない任意の回転距離区間に属する場合、それにマッチングされるメニューを表現するユーザインタフェースの画面をディスプレイすることが好ましい。
【００６１】
前記第１駆動部２４０は、前記第１制御信号に従って前記表示部２６０を駆動させる。
【００６２】
図３を参照して、上述した制御部２２０の動作によるディスプレイの例を説明する。
【００６３】
図３の(ａ)が示す端末機の待機画面でユーザが前記スクロールホイール装置２００に一定の距離の回転(例えば、発火回転距離)を加えると、図３の(ｂ)が示す画面がディスプレイされ、さらに回転を加えると、図３の(ｃ)が示す画面がディスプレイされるなど、回転距離の変化に従ってそれにマッチングされるメニューを表現するユーザインタフェースの画面がディスプレイされる。
【００６４】
ここで、図３の(ｂ)は多様な機能アイテムをディスプレイする初期画面であり、図３の(ｃ)は“ＭＰ３”との特定のメニューを表示する画面である。図３の(ｄ)は“ＴＶ”を、図３の(ｅ)は“Ｐｉｃｔｕｒｅ”を、図３の(ｆ)は“Ｖｉｄｅｏ”をそれぞれ示す画面である。
【００６５】
図３に示したように、ユーザの時計方向、或いは半時計方向の回転動作によって回転距離が算出され、各回転距離にマッチングされているメニューを表現するユーザインタフェースの画面がディスプレイされる。例えば、図３の(ｅ)の画面で時計方向に１/２回転距離を追加させると、図３の(ｆ)の画面がディスプレイされ、半時計方向に１/２回転距離を追加させると、図３の(ｄ)の画面がディスプレイされる。
【００６６】
前記ユーザインタフェースの画面は漸層的形態のフィードバックを提示することができる。漸層的形態のフィードバックとは、図３の(ｃ)から図３の(ｆ)までの変化から見られるように、(１)同一のカラーの明度、或いは彩度が次第に高まるか低まる形態、(２)円のような図形の大きさが次第に大きくなるか小さくなる形態、(３)螺旋状のような図形の線に沿って特定のカラーが次第に満たされる形態など、ユーザインタフェースの画面を構成する特定の固体が次第に変化することをいう。前記漸層的形態のフィードバックは、同一の階層のメニューに適用されることが好ましい。
【００６７】
以下、特定の機能を実行するための前記制御部２２０の動作を具体的に説明する。
【００６８】
まず、前記スクロールホイール装置２００がタッチホール装置である場合を挙げる。
【００６９】
前記制御部２２０は、ユーザの接触が前記タッチホイール装置から離隔される場合、前記検索されたメニューに相応する特定の機能を行うための第２制御信号を出力できる。
【００７０】
前記第２駆動部２５０は、前記制御部２２０から伝達された前記第２制御信号に従って前記特定の機能を行う。即ち、ユーザが前記タッチホール装置に一定の回転距離だけ回転動作を加え、前記回転距離に相応するメニューに従うユーザインタフェースの画面がディスプレイされた状態で、ユーザが前記タッチホール装置から接触を離隔させると、ディスプレイされている特定のメニュー、或いは機能が実行される。
【００７１】
例えば、図３の(ｃ)の画面がディスプレイされた状態で、ユーザが前記タッチホール装置から指を外して接触を離隔させると、“ＭＰ３”メニューに当る機能が実行される。
【００７２】
前記検索されたメニューに相応する特定の機能は様々な形態である。例えば、前記検索されたメニューが下位メニューを有する場合、その下位メニューをディスプレイするか、前記検索されたメニューが特定のアプリケーションである場合、そのアプリケーションを実行させる。その他にもファイルリストを検索中には前記第２制御信号に従って特定のファイルが活性化され得る。例えば、イメージファイルである場合、そのイメージファイルをディスプレイすることができる。そして、ＭＰ３ファイルの場合、そのＭＰ３ファイルを駆動させ、スピーカを介して音響を出力できる。
【００７３】
一方、前記スクロールホイール装置２００がタッチホール装置ばかりでなく、ジョグダイアル装置など、一般的な場合を説明する。
【００７４】
前記制御部２２０は、前記機能キー２１０から入力された機能実行命令に相応する特定の機能を実行するための第３制御信号を出力できる。前記機能キー２１０による機能実行命令の入力は、主にユーザが前記機能キー２７０をクリックすることで行われる。
【００７５】
前記機能キー２１０は、前記スクロールホイール装置２００と隔離されて備えられるか、前記スクロールホイール装置２００と重なった状態で備えられる。
【００７６】
図４の(ａ)および(ｂ)は、前記スクロールホイール装置２００の外部に各種の機能キーが前記スクロールホイール装置２００と隔離され備えられる例をそれぞれ図示しており、図５は、前記スクロールホイール装置２００の内部に各種の機能キーが前記スクロールホイール装置２００と隔離され備えられる一例を図示している。
【００７７】
図６は、前記スクロールホイール装置２００と各種の機能キーが互いに重なった状態で備えられる一例を示している。図６の場合、前記スクロールホイール装置２００はタッチホイール装置であることが好ましい。
【００７８】
図７は本発明の好ましい実施例によるスクロールホイール装置を備えた移動端末機を用いた機能実行方法の流れ図である。
【００７９】
図８は本発明によって機能キーを用いた機能実行方法のフローチャートである。
【００８０】
図９は本発明によってタッチホイール装置を用いた機能実行方法のフローチャートである。
【００８１】
図７乃至図９を参照して、本発明の好ましい実施例によるスクロールホイール装置を備えた移動端末機を用いた機能実行方法を詳細に説明する。
【００８２】
まず、前記スクロールホイール装置２００からユーザの回転動作を入力し(Ｓ７００)、その入力した回転動作に相応する回転距離を算出する(Ｓ７１０)。前記回転距離に関する細部的な特徴は上述したとおりである。
【００８３】
その後、前記算出された回転距離が属する回転距離の区間にマッチングされているメニューを検索する(Ｓ７２０)。前記回転距離の区間に関する細部的な特性は上述したとおりである。
【００８４】
その後、前記検索されたメニューによるユーザインタフェースの画面を前記端末機が備えた表示部２６０にディスプレイする(Ｓ７３０)。前記メニューおよびユーザインタフェースの画面に関する細部的な特性は上述したとおりである。
【００８５】
ここで、前記ディスプレイ段階(Ｓ７３０)は、前記回転距離が発火回転距離以上の最初の回転距離の区間に属する場合、ユーザインタフェースの初期画面をディスプレイすることが好ましい。
【００８６】
前記スクロールホイール装置２００がタッチホイール装置である場合、特定の機能の実行は次の段階からなる。
【００８７】
ユーザの接触が前記タッチホイール装置から離隔される場合(Ｓ８００)、前記検索されためニューに相応する特定の機能を行う(Ｓ８１０)。
【００８８】
一方、前記スクロールホイール装置２００がタッチホイール装置、或いはジョグダイアル装置など、一般的なスクロールホイール装置である場合、特定の機能は次の段階からなる。
【００８９】
前記端末機に備えられた機能キー２１０を介して機能実行命令が入力される(Ｓ９００)。
【００９０】
その後、前記入力された機能実行命令に相応する特定の機能を行う(Ｓ９１０)。
【００９１】
ここで、前記特定の機能に関する細部的な特徴は上述したとおりである。
【００９２】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００９３】
迅速な検索が可能なスクロールホイール装置を備えた移動端末機、およびこれを用いた機能実行方法を提供する。
【００９４】
本発明に係るスクロールホイール装置を備えた移動端末機は、表示部と、ユーザの回転動作を認識するスクロールホイール装置と、それぞれの回転距離の区間に互いに異なるメニューをマッチングさせたデータを保存するメモリと、前記スクロールホイール装置から入力された回転動作に相応する回転距離を算出し、前記算出された回転距離が属する回転距離の区間に相応するメニューを前記メモリで検索し、その検索されたメニューによるユーザインタフェースの画面を前記表示部にディスプレイするための第１制御信号を出力する制御部とを含むことを特徴とする。
【図面の簡単な説明】
【００９５】
【図１】従来技術に係る移動端末機の方向キーと機能キーの構成を示す図面である。
【図２】本発明の好ましい実施例によるスクロールホイール装置を備えた移動端末機のブロック構成図である。
【図３】(ａ)ないし(ｆ）は本発明に係るユーザインタフェース画面の例示図である。
【図４】（ａ）および（ｂ）は本発明によってスクロールホイール装置の外部に隔離して備えられた機能キーの例示図である。
【図５】本発明によってスクロールホイール装置の内部に隔離して備えられた機能キーの例示図である。
【図６】本発明によってスクロールホイール装置と重なった状態で備えられた機能キーの例示図である。
【図７】本発明の好ましい実施例によるスクロールホイール装置を備えた移動端末機を用いた機能実行方法のフローチャートである。
【図８】本発明によって機能キーを用いた機能実行方法のフローチャートである。
【図９】本発明によってタッチホイール装置を用いた機能実行方法のフローチャートである。
【図１】
2006323820.tif 000003
【図２】
2006323820.tif 000004
【図３】
2006323820.tif 000005
【図４】
2006323820.tif 000006
【図５】
2006323820.tif 000007
【図６】
2006323820.tif 000008
【図７】
2006323820.tif 000009
【図８】
2006323820.tif 000010
【図９】
2006323820.tif 000011